(57)【要約】      （修正有）【課題】生布を簡単に交換することができる生布が着脱自在なエコ傘を提供する。【解決手段】親骨４０の前部４３の末端と、該親骨４０の後部４１の先端とが、例えば前記タボ４２を介して互いに着脱可能に連結されると共に、前記露先４４も着脱可能に該前部４３の先端に連結する。生地７０の変換時には、先ず前記親骨４０の前部４３と該親骨４０の後部４１と露先４４とを分離させ、それから、前記生布７０の中央部及び周縁７２を夫々前記中棒１０及び露先４４から分離させる。これにより、前記受け骨５０を下ろくろ装置３０から取り外し、前記親骨４０を中棒１０の上端に向かって限界まで反転させなくても、簡単に前記生布７０を取り外すことができる。この方法によれば、前記複数の親骨４０を上ろくろ装置２０に枢設し直さなくても、生布７０を親骨４０に張設することができる。【選択図】図１
0003154724.tif 000002
【実用新案登録請求の範囲】
【請求項１】
中棒と、
前記中棒の上端近傍に設けられる上ろくろ装置と、
前記中棒に摺動可能に取り付けられ、前記上ろくろ装置と中棒の下端との間に位置する下ろくろ装置と、
末端が前記上ろくろ装置に枢設される後部と、該後部に設けられるタボと、末端が着脱可能に該後部の先端に連結される前部と、着脱可能に該前部の先端に連結される露先とを有する複数の親骨と、
末端が前記下ろくろ装置に枢設され、先端が前記タボに枢設される複数の受け骨と、
前記中棒の下端に設けられる取っ手と、
前記中棒に固定される中央部と、前記親骨の露先に固定される周縁とを有し、該親骨に張設される生布と、を有することを特徴とする生布が着脱自在なエコ傘。
【請求項２】
前記上ろくろ装置に、前記親骨の、中棒の上端に対する回転可能な角度を制限するための押圧リングが設けられることを特徴とする請求項１に記載の生布が着脱自在なエコ傘。
【請求項３】
前記親骨に、該親骨における前部の末端を着脱可能に該親骨の後部の先端に結合するための接合具が設けられることを特徴とする請求項１に記載の生布が着脱自在なエコ傘。
【請求項４】
前記親骨に、該親骨における前部の末端を着脱可能に該親骨の後部の先端に結合するための接合具が設けられることを特徴とする請求項２に記載の生布が着脱自在なエコ傘。
【請求項５】
前記タボは、前記親骨における後部の先端に設けられ、該親骨における前部の末端を挿入させるための孔を備えることを特徴とする請求項１に記載の生布が着脱自在なエコ傘。
【請求項６】
前記タボは、前記親骨における後部の先端に設けられ、該親骨における前部の末端を挿入させるための孔を備えることを特徴とする請求項２に記載の生布が着脱自在なエコ傘。
【請求項７】
前記生布の中央部と該生布の周縁との間に、該生布を前記親骨の前部に摺動可能に保持するための少なくとも１つの保持具が設けられることを特徴とする請求項１乃至請求項６の何れか１項に記載の生布が着脱自在なエコ傘。
【請求項８】
前記保持具は、前記生布を親骨の前部に摺動可能に保持するための縫合糸であることを特徴とする請求項７に記載の生布が着脱自在なエコ傘。
【請求項９】
前記保持具は、前記生布を親骨の前部に摺動可能に保持するためのベルトであることを特徴とする請求項７に記載の生布が着脱自在なエコ傘。
【請求項１０】
前記親骨及び受け骨が繊維材料からなることを特徴とする請求項１乃至請求項６の何れか１項に記載の生布が着脱自在なエコ傘。
【請求項１１】
前記親骨及び受け骨が金属材料からなることを特徴とする請求項１乃至請求項６の何れか１項に記載の生布が着脱自在なエコ傘。
【請求項１２】
前記親骨及び受け骨が繊維材料からなることを特徴とする請求項７に記載の生布が着脱自在なエコ傘。
【請求項１３】
前記親骨及び受け骨が金属材料からなることを特徴とする請求項７に記載の生布が着脱自在なエコ傘。
【請求項１４】
前記繊維材料がガラス繊維材料であることを特徴とする請求項１０に記載の生布が着脱自在なエコ傘。
【請求項１５】
前記金属材料が鉄であることを特徴とする請求項１１に記載の生布が着脱自在なエコ傘。
【考案の詳細な説明】
【技術分野】
【０００１】
本考案は、特に生布が着脱自在なエコ傘に関するものである。
【背景技術】
【０００２】
従来の傘においては、生布を取り外す時、先ず受け骨を下ろくろから取り外してから、親骨を中棒の上端に対して限界まで反転させ、生布を中棒及び親骨から取り外す。
【０００３】
近年、環境保護の観点から、地球環境に配慮したエコ傘が開発された。この従来のエコ傘は、廃棄時に、中棒と、上ろくろ装置と、親骨とを簡単に分離できるようにするため、該上ろくろ装置に、上ろくろ装置に枢設される親骨を保持するための押圧リングが設けられている。
【考案の概要】
【考案が解決しようとする課題】
【０００４】
しかしながら、従来のエコ傘においては、親骨の、中棒の上端に向かって反転する角度が押圧リングにより６０度前後に制限されるので、生布を簡単に取り外すことができないといった問題があった。
【０００５】
また、従来のエコ傘は、美観及び使用感を向上させるため、生布に、例えば縫合糸又はベルトなど、生布を親骨に保持するための保持具が設けられる。修理又は生布の交換を行う時には、該生布を取り外す前に、先ず押圧リングを取り外さなくてはならないが、該押圧リングを取り外すと共に、押圧リングにより上ろくろ装置に枢設された状態の親骨も上ろくろ装置から一本一本取り外さなくてはならないだけでなく、修理又は交換が終わり、元来の生布又は新品の生布を親骨に張設し直す時も、該親骨を再び一本一本上ろくろ装置に枢設しなくてはならなく、その作業は非常に時間がかかるので、修理のコストを増大させてしまうといった欠点があった。
【０００６】
さらに、日傘や雨傘などは近年、ファッションの一部とみなすようになってきていることから、複数の傘を買うよりも、異なる柄の複数の生布を交換可能な傘を買う方が無駄な出費を抑えることができると共に、収納するための空間も節約することができるので、異なる柄の複数の生布が交換可能なエコ傘商品は、従来の傘商品より競争力を有するものであることが分かった。しかしながら、上述したと通り、従来のエコ傘は、生布の交換が非常に面倒であり、消費者が自力で従来のエコ傘の生布を交換することは非常に困難であった。
【０００７】
そこで、案出されたのが本考案であって、生布を簡単に交換することができる生布が着脱自在なエコ傘を提供することを目的としている。
【課題を解決するための手段】
【０００８】
本願の請求項１の考案は、中棒と、
前記中棒の上端近傍に設けられる上ろくろ装置と、
前記中棒に摺動可能に取り付けられ、前記上ろくろ装置と中棒の下端との間に位置する下ろくろ装置と、
末端が前記上ろくろ装置に枢設される後部と、該後部に設けられるタボと、末端が着脱可能に該後部の先端に連結される前部と、着脱可能に該前部の先端に連結される露先とを有する複数の親骨と、
末端が前記下ろくろ装置に枢設され、先端が前記タボに枢設される複数の受け骨と、
前記中棒の下端に設けられる取っ手と、
前記中棒に固定される中央部と、前記親骨の露先に固定される周縁とを有し、該親骨に張設される生布と、を有することを特徴とする生布が着脱自在なエコ傘、を提供する。
【０００９】
本願の請求項２の考案は、前記上ろくろ装置に、前記親骨の、中棒の上端に対する回転可能な角度を制限するための押圧リングが設けられることを特徴とする請求項１に記載の生布が着脱自在なエコ傘、を提供する。
【００１０】
本願の請求項３の考案は、前記親骨に、該親骨における前部の末端を着脱可能に該親骨の後部の先端に結合するための接合具が設けられることを特徴とする請求項１に記載の生布が着脱自在なエコ傘、を提供する。
【００１１】
本願の請求項４の考案は、前記親骨に、該親骨における前部の末端を着脱可能に該親骨の後部の先端に結合するための接合具が設けられることを特徴とする請求項２に記載の生布が着脱自在なエコ傘、を提供する。
【００１２】
本願の請求項５の考案は、前記タボは、前記親骨における後部の先端に設けられ、該親骨における前部の末端を挿入させるための孔を備えることを特徴とする請求項１に記載の生布が着脱自在なエコ傘、を提供する。
【００１３】
本願の請求項６の考案は、前記タボは、前記親骨における後部の先端に設けられ、該親骨における前部の末端を挿入させるための孔を備えることを特徴とする請求項２に記載の生布が着脱自在なエコ傘、を提供する。
【００１４】
本願の請求項７の考案は、前記生布の中央部と該生布の周縁との間に、該生布を前記親骨の前部に摺動可能に保持するための少なくとも１つの保持具が設けられることを特徴とする請求項１乃至請求項６の何れか１項に記載の生布が着脱自在なエコ傘、を提供する。
【００１５】
本願の請求項８の考案は、前記保持具は、前記生布を親骨の前部に摺動可能に保持するための縫合糸であることを特徴とする請求項７に記載の生布が着脱自在なエコ傘、を提供する。
【００１６】
本願の請求項９の考案は、前記保持具は、前記生布を親骨の前部に摺動可能に保持するためのベルトであることを特徴とする請求項７に記載の生布が着脱自在なエコ傘、を提供する。
【００１７】
本願の請求項１０の考案は、前記親骨及び受け骨が繊維材料からなることを特徴とする請求項１乃至請求項６の何れか１項に記載の生布が着脱自在なエコ傘、を提供する。
【００１８】
本願の請求項１１の考案は、前記親骨及び受け骨が金属材料からなることを特徴とする請求項１乃至請求項６の何れか１項に記載の生布が着脱自在なエコ傘、を提供する。
【００１９】
本願の請求項１２の考案は、前記親骨及び受け骨が繊維材料からなることを特徴とする請求項７に記載の生布が着脱自在なエコ傘、を提供する。
【００２０】
本願の請求項１３の考案は、前記親骨及び受け骨が金属材料からなることを特徴とする請求項７に記載の生布が着脱自在なエコ傘、を提供する。
【００２１】
本願の請求項１４の考案は、前記繊維材料がガラス繊維材料であることを特徴とする請求項１０に記載の生布が着脱自在なエコ傘、を提供する。
【００２２】
本願の請求項１５の考案は、前記金属材料が鉄であることを特徴とする請求項１１に記載の生布が着脱自在なエコ傘、を提供する。
【考案の効果】
【００２３】
本考案は上記の課題を解決するものであり、親骨を上ろくろ装置から取り外さなくても、簡単に生布を着脱することができ、また、本考案の構成によれば、修理時間の短縮及び修理コストの低減を図ることができる、異なる柄の複数の生布と交換可能なエコ傘を提供することができる。
【図面の簡単な説明】
【００２４】
【図１】本考案に係る生布が着脱自在なエコ傘の斜視図である。
【図２】本考案に係る生布が着脱自在なエコ傘における中棒の上端を示す斜視図である。
【図３】本考案に係る生布が着脱自在なエコ傘における親骨及び受け骨を示す斜視図である。
【図４】本考案に係る生布が着脱自在なエコ傘における親骨の分解斜視図である。
【図５】本考案に係る生布が着脱自在なエコ傘における親骨の部分側面断面図である。
【図６】本考案に係る生布が着脱自在なエコ傘の他の実施例における親骨及び受け骨を示す斜視図である。
【図７】本考案に係る生布が着脱自在なエコ傘の他の実施例における接合具の斜視図である。
【図８】本考案に係る生布が着脱自在なエコ傘の使用状態を示す部分斜視図である。
【図９】本考案に係る生布が着脱自在なエコ傘の他の使用状態を示す部分斜視図である。
【考案を実施するための形態】
【００２５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２６】
図１は本考案に係る生布が着脱自在なエコ傘の斜視図であり、図２は本考案に係る生布が着脱自在なエコ傘における中棒の上端を示す斜視図であり、図３は本考案に係る生布が着脱自在なエコ傘における親骨及び受け骨を示す斜視図であり、図４は本考案に係る生布が着脱自在なエコ傘における親骨の分解斜視図であり、図５は本考案に係る生布が着脱自在なエコ傘における親骨の部分側面断面図であり、図６は本考案に係る生布が着脱自在なエコ傘の他の実施例における親骨及び受け骨を示す斜視図であり、図７は本考案に係る生布が着脱自在なエコ傘の他の実施例における接合具の斜視図であり、図８は本考案に係る生布が着脱自在なエコ傘の使用状態を示す部分斜視図であり、図９は本考案に係る生布が着脱自在なエコ傘の他の使用状態を示す部分斜視図である。
【００２７】
図１乃至図３に示すように、本考案に係る生布が着脱自在なエコ傘は、中棒（１０）と、上ろくろ装置（２０）と、下ろくろ装置（３０）と、複数の親骨（４０）と、受け骨（５０）と、取っ手（６０）と、生布（７０）とを有するものである。
【００２８】
本考案の実施例において、中棒（１０）は、上端と下端とを有し、その上端に、石突（１１０）と、銅製先端部（１２０）と、当接部（１１４）と、ねじ柱（１１６）とを有する石突装置（１１）が設けられ、また、該中棒（１０）の上段は、内ねじ山（１３）が設けられる筒状を呈し、該ねじ柱（１１６）には、上へ向かって延出する上螺合部（１１８）と、該中棒（１０）の内ねじ山（１３）と螺合できるように、下へ向かって延出する下螺合部（１１９）と、該上螺合部（１１８）と下螺合部（１１９）との間に設けられる傘フランジ（１１７）とを有する。
【００２９】
前記石突（１１０）は、内周壁上端近傍及び下端近傍に夫々、上端内ねじ山（１１１）と前記上螺合部（１１８）と螺合される下端内ねじ山（１１２）とが設けられる中空の筒体であり、該石突（１１０）の外周壁における下端近傍に、収縮状を呈する小径な結合部（１１３）が設けられる。
【００３０】
前記当接部（１１４）は、貫通孔（１１５）を有すると共に、前記傘フランジ（１１７）と対応する形状を呈し、更に、前記下端内ねじ山（１１２）は、前記上螺合部（１１８）に螺合されると共に、該当接部（１１４）は、傘フランジ（１１７）と石突（１１０）との間に挟持され、この時、該石突（１１０）の結合部（１１３）は貫通孔（１１５）に挿入される。
【００３１】
前記銅製先端部（１２０）には、下へ向かって延出する先端螺合部（１２１）が設けられ、該先端螺合部（１２１）は、該銅製先端部（１２０）を石突（１１０）の上端に結合させるため、前記上端内ねじ山（１１１）に螺合される。
【００３２】
前記上ろくろ装置（２０）は、前記中棒（１０）の上端近傍に設けられる。
【００３３】
前記下ろくろ装置（３０）は、前記中棒（１０）に摺動可能に取り付けられ、前記上ろくろ装置（２０）と中棒（１０）の下端との間に位置する。
【００３４】
各前記複数の親骨（４０）は、末端が前記上ろくろ装置（２０）に枢設される後部（４１）と、該後部（４１）に設けられるタボ（４２）と、末端が着脱可能に該後部（４１）の先端に連結される前部（４３）と、着脱可能に該前部（４３）の先端に連結される露先（４４）とを有する。
【００３５】
各前記の受け骨（５０）は、末端が前記下ろくろ装置（３０）に枢設され、先端が前記タボ（４２）に枢設される。
【００３６】
前記取っ手（６０）は、前記中棒（１０）の下端に設けられる。
【００３７】
前記生布（７０）は、前記中棒（１０）に固定される中央部と、前記親骨（４０）の露先（４４）に固定される周縁（７２）とを有し、該親骨（４０）に張設される。
【００３８】
上述した通り、前記親骨（４０）の前部（４３）の末端と、該親骨（４０）の後部（４１）の先端とが、例えば前記タボ（４２）を介して互いに着脱可能に連結されると共に、前記露先（４４）も着脱可能に該前部（４３）の先端に連結されるので、例えば、修理又は生布（７０）を交換する時、前記複数の親骨（４０）を上ろくろ装置（３０）から取り外さなくても、簡単に生布（７０）を取り外すことができる。その際には、先ず前記親骨（４０）の前部（４３）と該親骨（４０）の後部（４１）と露先（４４）とを分離させ、それから、前記生布（７０）の中央部及び周縁（７２）を夫々前記中棒（１０）及び露先（４４）から分離させる。これにより、前記受け骨（５０）を下ろくろ装置（３０）から取り外し、前記親骨（４０）を中棒（１０）の上端に向かって限界まで反転させなくても、傘の修理又は他の生布と交換するために、簡単に前記生布（７０）を取り外すことができる。この方法によれば、前記複数の親骨（４０）を上ろくろ装置（２０）に枢設し直さなくても、生布（７０）を親骨（４０）に張設することができる。
【００３９】
即ち、本考案は上記の構成を有するので、修理の利便性を大幅に向上させることができるのみならず、使用者が自力で簡単に生布（７０）を交換することができるので、異なる柄の複数の生布（７０）と組合せ可能なエコ傘商品を市場に提供することができる。
【００４０】
尚、前記上ろくろ装置（２０）は、前記親骨（４０）の、中棒（１０）の上端に対する回転角度を制限する押圧リング（２１）を有するものであっても、前記構造によれば、簡単に生布（７０）を着脱することができるので、該上ろくろ装置（２０）に押圧リング（２１）が設けられるものであっても構わない。
【００４１】
図４及び図５に示すように、本考案のタボ（４２）は、親骨（４０）の後部（４１）の先端に固設されるものであり、該親骨（４０）の前部（４３）の末端を挿入させるための孔（４２１）を備え、これにより、該親骨（４０）の前部（４３）の末端を着脱可能に後部（４１）の先端に連結させることができる。
【００４２】
前記親骨（４０）及び受け骨（５０）は、例えばガラス繊維などの繊維材料、又は例えば鉄などの金属材料からなり、その内、繊維材料からなる時は、該受け骨（５０）、親骨（４０）の後部（４１）及び前部（４３）が円柱状を呈するように形成され、前記タボ（４２）及び露先（４４）が円柱状の受け骨（５０）、親骨（４０）の後部（４１）及び前部（４３）と対応するように構成される。
【００４３】
一方、図６及び図７に示すように、本考案における親骨（４０Ａ）及び受け骨（５０Ａ）が、例えば鉄などの金属材料からなる実施例においては、受け骨（５０Ａ）、親骨（４０Ａ）の後部（４１Ａ）及び前部（４３Ａ）が断面Ｕ字状を呈すると共に、該親骨（４０Ａ）のタボ（４２Ａ）及び露先（図示せず）も、前記断面Ｕ字状を呈する受け骨（５０Ａ）、親骨（４０Ａ）の後部（４１Ａ）及び前部（４３Ａ）と対応する形状を呈する。また、本実施例における前記親骨（４０Ａ）にはさらに、該親骨（４０Ａ）の前部（４３Ａ）の末端を着脱可能に親骨（４０Ａ）の後部（４１Ａ）の先端に結合させる接合具（４５Ａ）を有する。
【００４４】
また、図８及び図９に示すように、本考案の他の実施例においては、生布（７０）における生布（７０）の中央部と該生布（７０）の周縁（７２）との間に、該生布（７０）を親骨の前部（４３）に摺動可能に保持させるための、少なくとも１つの保持具が設けられ、この保持具により、該生布（７０）をスムーズに親骨（４０）に張設させることができるので、本考案に係る生布が着脱自在なエコ傘のデザイン性をより高めることができるのみならず、強度や安全性、使用感に優れた構成を提供することができる。
【００４５】
前記保持具は、例えば、前記生布（７０）を親骨（４０）の前部（４３）に摺動可能に保持させるための縫合糸（７３Ａ）又はベルト（７３Ｂ）であり、本実施例において、修理又は生布（７０）を交換する時は、先ず該親骨（４０）の前部（４３）と親骨（４０）の後部（４１）と露先（４４）とを分離させると共に、該生布（７０）の中央部及び周縁（７２）を夫々前記中棒（１０）及び露先（４４）から分離させてから、該親骨（４０）の前部（４３）を保持具から取り外す。この構成によれば、前記受け骨（５０）を前記下ろくろ装置（３０）から取り外し、前記親骨（４０）を前記中棒（１０）の上端に向かって限界まで反転させなくても、傘の修理又は他の生布との交換のために、簡単に該生布（７０）を取り外すことができ、更に、修理が終了した時は、該複数の親骨（４０）を上ろくろ装置（２０）に枢設し直さなくても、生布（７０）を親骨（４０）に張設することができる。
【産業上の利用可能性】
【００４６】
本考案は上記の構成を有するものであり、エコ傘の特殊な石突構造により、親骨の中棒の上端に対する回転角度が制限されるが、本考案の構成によれば、簡単に生布を着脱することができ、また、美観のために例えば、縫合糸又はベルトなどの保持具を設けても、本考案の構成によれば、簡単に生布を着脱することができる。即ち、本考案の構成よれば、修理の時間を短縮し、修理によるコストを低減することができるのみならず、簡単に生布を着脱することができるので、例えば、異なる柄の複数の生布とエコ傘商品とを組み合わせて提供することができる。
【符号の説明】
【００４７】
１０      中棒
１１      石突装置
１１０    石突
１１１    上端内ねじ山
１１２    下端内ねじ山
１１３    結合部
１１４    当接部
１１５    貫通孔
１１６    ねじ柱
１１７    傘フランジ
１１８    上螺合部
１１９    下螺合部
１２０    銅製先端部
１２１    先端螺合部
１３      内ねじ山
２０      上ろくろ装置
３０      下ろくろ装置
４０      親骨
４０Ａ    親骨
４１      親骨の後部
４１Ａ    親骨の後部
４２      タボ
４２１    孔
４２Ａ    タボ
４３      親骨の前部
４３Ａ    親骨の前部
４４      露先
４５Ａ    接合具
５０      受け骨
５０Ａ    受け骨
６０      取っ手
７０      生布
７２      生布の周縁
７３Ａ    縫合糸
７３Ｂ    ベルト
【図１】
0003154724.tif 000003
【図２】
0003154724.tif 000004
【図３】
0003154724.tif 000005
【図４】
0003154724.tif 000006
【図５】
0003154724.tif 000007
【図６】
0003154724.tif 000008
【図７】
0003154724.tif 000009
【図８】
0003154724.tif 000010
【図９】
0003154724.tif 000011